(57)【要約】 【課題】  不用意にムービングプレートに対するロックが外れるのを防止する。【解決手段】  フード部１２内には、リテーナ２０が挿入されるとともに、ムービングプレート１０が挿入される。リテーナ２０の前面には係止片２２が突出して形成されている。ムービングプレート１０には係止孔４１が開口しており、この係止孔４１に係止片２２を貫通させ、この係止片２２の先端側に形成された係止突部２７を係止孔４１の孔縁に係止させ、もってムービングプレート１０を前後移動を規制した状態で支持する。ムービングプレート１０における係止孔４１の孔周りには係止突部２７との隙間を詰めるべく肉盛りされた補強部４４が形成されている。【選択図】  図１
2006253074.tif 000002
【特許請求の範囲】
【請求項１】
雄端子金具のタブを包囲するフード部を備えた雄側コネクタと、前記フード部内に嵌合可能な雌ハウジングを備えた雌側コネクタとからなり、
前記フード部内には、その奥面側から開口側へ向けて先端側に係止突部を有する撓み変形可能な係止片が突出して形成されるとともに、雌雄の両コネクタの嵌合方向とほぼ直交する方向に延出する板状のムービングプレートが配されており、
前記ムービングプレートは、前記タブを挿通可能な位置決め孔を有するとともに前記係止片を挿通可能な係止孔を有し、この係止孔の孔周りに前記係止突部を係止させて移動規制された状態から、前記雌雄の両コネクタの嵌合に伴って前記係止突部との係止状態を解除することによって前記タブを前記位置決め孔から突出させつつ後退可能とされており、かつ、
前記ムービングプレートにおける前記係止孔の孔周りには、前記係止突部との隙間を詰めるべく肉盛りされた補強部が形成されていることを特徴とするコネクタ。
【請求項２】
前記係止突部は、前記ムービングプレートを係止したときに、前記ムービングプレートの前方に位置する前側突部と前記ムービングプレートの後方に位置する後側突部とからなり、
前記前側突部の後面は、その突出端側に向かって前記ムービングプレートの前面から離れる斜面部となっており、
前記補強部は、前記ムービングプレートの前面に形成され、前記前側突部の前記斜面部と対面して配されているとともに、前記後側突部の前面と前記ムービングプレートを挟んで対峙する位置に配されていることを特徴とする請求項１に記載のコネクタ。
【請求項３】
前記ムービングプレートは、フード部の内側面と非接触状態で配されていることを特徴とする請求項１または請求項２に記載のコネクタ。
【請求項４】
前記フード部の奥面側には、前記ムービングプレートとほぼ平行して板状のリテーナが配されており、前記係止片の根元は前記リテーナの前面に接続されていることを特徴とする請求項１ないし請求項３のいずれかに記載のコネクタ。
【発明の詳細な説明】
【技術分野】
【０００１】
本発明は、ムービングプレート付きのコネクタに関する。
【背景技術】
【０００２】
ムービングプレート付きのコネクタに関する従来技術として、複数のガイド孔を備えたガイド部に２本の片持ち梁を連結したムービングプレートを、コネクタのフード部内に移動可能に収容したものがある（例えば特許文献１を参照）。
【特許文献１】特開２００２−３４３４８３公報（第１図）
【発明の開示】
【発明が解決しようとする課題】
【０００３】
ところで、仮に、軽量化を図るべくムービングプレートの板厚を薄くした場合に、フード部内にその奥側から開口側へ向けて突出する撓み変形可能な係止片を設け、この係止片の先端側に備わる係止突部によってムービングプレートを弾性的に係止するような構造にすると、以下のような問題が生じる。
すなわち、上記の場合には、ムービングプレートを係止する際、係止片が撓み変形するのに伴って係止突部が弧状に回動するから、係止突部の後面とムービングプレートの前面との間に係止突部の回動軌跡に起因する隙間があいてしまい、その分だけムービングプレートに対する係止代が浅くなってしまう。その結果、例えば、異物との衝突によってムービングプレートが反り変形を起こしたりすると、係止突部によるロックが外れてムービングプレートが不用意に動き出す懸念があった。
本発明は上記のような事情に基づいて完成されたものであって、不用意にムービングプレートに対するロックが外れるのを防止することを目的とする。
【課題を解決するための手段】
【０００４】
上記の目的を達成するための手段として、請求項１の発明は、雄端子金具のタブを包囲するフード部を備えた雄側コネクタと、前記フード部内に嵌合可能な雌ハウジングを備えた雌側コネクタとからなり、前記フード部内には、その奥面側から開口側へ向けて先端側に係止突部を有する撓み変形可能な係止片が突出して形成されるとともに、雌雄の両コネクタの嵌合方向とほぼ直交する方向に延出する板状のムービングプレートが配されており、前記ムービングプレートは、前記タブを挿通可能な位置決め孔を有するとともに前記係止片を挿通可能な係止孔を有し、この係止孔の孔周りに前記係止突部を係止させて移動規制された状態から、前記雌雄の両コネクタの嵌合に伴って前記係止突部との係止状態を解除することによって前記タブを前記位置決め孔から突出させつつ後退可能とされており、かつ、前記ムービングプレートにおける前記係止孔の孔周りには、前記係止突部との隙間を詰めるべく肉盛りされた補強部が形成されているところに特徴を有する。
【０００５】
請求項２の発明は、請求項１に記載のものにおいて、前記係止突部は、前記ムービングプレートを係止したときに、前記ムービングプレートの前方に位置する前側突部と前記ムービングプレートの後方に位置する後側突部とからなり、前記前側突部の後面は、その突出端側に向かって前記ムービングプレートの前面から離れる斜面部となっており、前記補強部は、前記ムービングプレートの前面に形成され、前記前側突部の前記斜面部と対面して配されているとともに、前記後側突部の前面と前記ムービングプレートを挟んで対峙する位置に配されているところに特徴を有する。
【０００６】
請求項３の発明は、請求項１または請求項２に記載のものにおいて、前記ムービングプレートは、フード部の内側面と非接触状態で配されているところに特徴を有する。
【０００７】
請求項４の発明は、請求項１ないし請求項３のいずれかに記載のものにおいて、前記フード部の奥面側には、前記ムービングプレートとほぼ平行して板状のリテーナが配されており、前記係止片の根元は前記リテーナの前面に接続されているところに特徴を有する。
【発明の効果】
【０００８】
＜請求項１の発明＞
ムービングプレートにおける係止孔の孔周りに補強部が形成され、この補強部が係止突部との隙間を詰めるように肉盛りされているから、不用意にロックが外れる事態を回避できる。
【０００９】
＜請求項２の発明＞
ムービングプレートは、その前後に位置する前側突部と後側突部とによって強固に係止されるとともに、これらと対応する位置に配された補強部によって不用意にロックが外されることがない。
【００１０】
＜請求項３の発明＞
ムービングプレートが、フード部の内側面と非接触とされるから、その移動中、フード部の内側面との間に摩擦を生じさせることがなく、移動のための押し込み力を小さくできる。
【００１１】
＜請求項４の発明＞
係止片がその根元をフード部の奥面に直接接続させた状態で突出して形成されている場合には、リテーナに係止片を貫通させるための孔を設ける必要があるが、本発明によれば、リテーナの前面に係止片の根元が接続されているから、かかる孔を設けなくて済み、成形が容易となる。
【発明を実施するための最良の形態】
【００１２】
本発明の一実施形態を図１ないし図８によって説明する。本実施形態のコネクタは、互いに嵌合可能な雌雄の両コネクタＦ，Ｍからなり、雄コネクタＭはムービングプレート１０とリテーナ２０とを備えている。なお、以下においては、両コネクタＦ，Ｍの互いの嵌合面側を前方として説明する。
【００１３】
まず、雌コネクタＦについて説明する。雌コネクタＦは、複数の雌端子金具（図示せず）を収容可能な雌ハウジング３０を備えている。雌ハウジング３０は、図６に示すように、合成樹脂材によって、高さ方向（雌端子金具の並び方向）に長く延出して形成され、その高さ方向の両端位置に、前面に開口する凹部３１が形成されている。両凹部３１は、両コネクタＦ，Ｍの嵌合時に雄コネクタＭ側のこじり防止部２１及び係止片２２（後述する）を受け入れ可能な深さをもって前後方向に延出している。このうち上方に配された凹部３１内には、その高さ方向ほぼ中央の前端位置に、ムービングプレート１０に対する係止片２２のロックを解除するための解除部３２が形成されている。そして、この凹部３１は、解除部３２を境とした上方にこじり防止部２１が進入可能な溝部３３Ａを有する一方、解除部３２を境とした下方に係止片２２が進入可能な溝部３３Ｂを有し、かつ、両溝部３３が解除部３２の後面後方で互いに連通している。
【００１４】
下方に配された凹部３１内には、その上面の前端側に解除部３２が形成されており、また、上方に係止片２２が進入可能な溝部３３Ｂを有する一方、下方にこじり防止部２１が進入可能な溝部３３Ａを有し、かつ、両溝部３３が全長に亘って連通している。両凹部３１内に形成された解除部３２の前面３２Ａは、略鉛直に切り立っており、係止片２２と干渉してこれをロック解除方向に撓ませるための係止解除面とされる。また、解除部３２の後面３２Ｂは、後方に行くにつれテーパ状の昇り勾配となっている。
【００１５】
続いて、雄コネクタＭについて説明する。雄コネクタＭは、合成樹脂製の端子収容部１１と同じく合成樹脂製のフード部１２とを備え、上記した雌ハウジング３０と対応するように高さ方向に長く延出して形成されている。
【００１６】
端子収容部１１には、雄端子金具１６を収容可能な複数のキャビティ１３が高さ方向に並列して形成されている。キャビティ１３の下面には前方へ向けて片持ち状に延出するランス１４が撓み変形可能に形成され、ランス１４の下方には同ランス１４の撓み空間１５が前面に開口して形成されている。雄端子金具１６が後方からキャビティ１３内に挿入されると、ランス１４が雄端子金具１６と干渉して撓み空間１５側へ撓み変形され、雄端子金具１６が正規挿入されると、ランス１４が復帰して雄端子金具１６を抜け止め状態で係止するようになっている。また、端子収容部１１の高さ方向の両端位置には、リテーナ２０側のガイド部２３（後述する）を嵌入可能な一対のガイド孔１９が前後方向に沿うとともに前後両面に開口して形成されている。
【００１７】
フード部１２は、端子収容部１１の前面から前方へ向けて略角筒状に突出して形成され、その内側に雄端子金具１６のタブ１８を突出した状態で配している。フード部１２内には、リテーナ２０とムービングプレート１０が収容されるが、これらはいずれもフード部１２の内側面１２Ａとは非接触状態で配される。
【００１８】
リテーナ２０は、合成樹脂材により一体に形成され、いわゆるフロントタイプのリテーナ２０として構成される。すなわち、リテーナ２０は、端子収容部１１の前面を覆うように配される板状のリテーナ本体２０Ａを備え、リテーナ本体２０Ａは端子収容部１１の各キャビティ１３と対応する位置に複数のタブ挿通孔２４を有している。リテーナ本体２０Ａの高さ方向の両端位置には、端子収容部１１側のガイド孔１９に嵌入可能な一対のガイド部２３が後方へ向けて突出して形成されている。また、リテーナ本体２０Ａの後面には、ランス１４の撓み空間１５に突入可能な複数の撓み規制部１７がタブ挿通孔２４の孔縁２５から後方へ向けて突出して形成されている。
【００１９】
リテーナ２０は、撓み規制部１７が撓み空間１５の前方に退避することでランス１４の撓み動作を可能として雄端子金具１６の挿抜を許容する仮係止位置と、撓み規制部１７がランス１４の撓み空間１５内に突入することでランス１４の撓み動作を不能として雄端子金具１６を抜け止めする本係止位置との間を移動可能となっている。詳しくは、リテーナ２０が仮係止位置にあるときには、ガイド部２３がガイド孔１９内の中ほどまで進入するとともにリテーナ本体２０Ａが端子収容部１１の前面よりも前方に浮き上がった状態で配され、リテーナ２０が本係止位置に至ったときには、ガイド部２３がガイド孔１９内に深く進入するとともにリテーナ本体２０Ａが端子収容部１１の前面に密着された状態で配されるようになっている。そして、リテーナ２０が仮係止位置から本係止位置に至る過程では、ガイド部２３がガイド孔１９を摺動することでリテーナ２０の挿入姿勢の安定性が保障される。
【００２０】
また、リテーナ本体２０Ａの前面において高さ方向の両端位置にはこじり防止部２１が前方へ向けて突出して形成されており、さらに、リテーナ本体２０Ａの前面において両こじり防止部２１よりも高さ方向の中央寄りの位置には両こじり防止部２１と隣接しつつ平行に突出する係止片２２が形成されている。こじり防止部２１の先端位置はタブ１８の先端位置や係止片２２の先端位置よりも前方に設定されている。したがって、こじり防止部２１が係止片２２を庇状に覆って保護することになるから、異物との干渉によって係止片２２が折損される事態を回避できる。かかるこじり防止部２１は、雌ハウジング３０が正規姿勢をとっているときには雌ハウジング３０側の凹部３１内に進入して両コネクタＦ，Ｍを正規嵌合に導く一方、雌ハウジング３０が正規でない姿勢をとっているときにはその嵌合動作を規制して雌ハウジング３０との衝突に伴うタブ１８のこじりを防止する役割を担っている。
【００２１】
係止片２２は、リテーナ２０の前面にその根元を接続させた状態で前方へ向けて片持ち状に延出する撓み変形可能なアーム部２６とその先端側に形成された係止突部２７とからなる。この係止片２２は、ムービングプレート１０に形成された係止孔４１（後述する）に対して後方から撓み変形しつつ挿通され、その係止突部２７を係止孔４１の孔周りに弾性的に係止させることにより、ムービングプレート１０を前後移動を規制した状態で支持するようになっている。詳しくは係止突部２７は、図２に示すように、ムービングプレート１０を係止したときに、ムービングプレート１０の前方に位置する前側突部２８とムービングプレート１０の後方に位置する後側突部２９とからなり、後側突部２９と前側突部２８との間でムービングプレート１０を板厚方向に挟み込むようになっている。つまり、ムービングプレート１０は、前側突部２８によってその前方への移動が規制され、後側突部２９によってその後方への移動が規制される。
【００２２】
後側突部２９は、アーム部２６の上面においてアーム部２６の幅方向の全長に亘って横設され、その前面２９Ａが略鉛直に切り立って係止孔４１の孔縁４１Ａに対する係止面とされる一方、その後面２９Ｂが上面に向かって弧状をなす曲面とされる。また、前側突部２８は、アーム部２６の上面の幅方向ほぼ中央位置にてアーム部２６の延出方向に沿って立設され、その前端位置がアーム部２６の前端位置に揃えられている。そして、前側突部２８は、その前面が後方へ向かって昇り勾配となるテーパ面２８Ａとされる一方、その後面が後方へ向かって下り勾配となるテーパ面２８Ｂ（本発明の斜面部に相当）とされる。前側突部２８の後面側のテーパ面２８Ｂは、係止片２２が撓み変形する間に前側突部２８が弧を描くことに起因して形成されるものである。また、両コネクタＦ，Ｍの嵌合時には、前側突部２８が雌ハウジング３０側の解除部３２と干渉して係止片２２が下方へ撓み変形されることでムービングプレート１０に対するロックが解除されることになるが、このとき、前側突部２８の前面側のテーパ面２８Ａに解除部３２が乗り上げられることによって係止片２２の撓み動作が円滑となるようにしてある。また、前側突部２８と後側突部２９とは、ムービングプレート１０を係止したときに係止孔４１の孔内を貫通するリブ２９Ｃによって一体的につながっている。このリブ２９Ｃは、前側突部２８と同幅をもって形成され、その両側面が前側突部２８の両側面と面一で連なっている。
【００２３】
ムービングプレート１０は、図４に示すように、合成樹脂材によって薄い板状に形成され、図５に示すように上記した係止片２２に支持されつつフード部１２の内側面から浮いた状態で配されている。ムービングプレート１０は、各雄端子金具１６のタブ１８と対応する位置に複数の位置決め孔４２を有するとともに、両こじり防止部２１と対応する位置に一対の挿通孔４３を有し、かつ、両係止片２２と対応する位置に一対の係止孔４１を有している。
【００２４】
また、ムービングプレート１０は、リテーナ２０が仮係止位置にあるときにはタブ１８の先端位置よりも前方に離間して配されているが、リテーナ２０が本係止位置に向かって移動するのに伴いこれに連立って移動し、リテーナ２０が本係止位置に至ったときには位置決め孔４２にタブ１８の先端を挿通させてその前面にタブ１８の先端を臨ませる。そして、ムービングプレート１０は、フード部１２内に雌ハウジング３０が嵌合する過程で雌ハウジング３０側の解除部３２に係止突部２７が干渉して係止片２２が撓み変形されることによって係止片２２とのロックを解除させる。その後、ムービングプレート１０は、雌ハウジング３０の前面に押し込まれつつ後退してリテーナ２０の前面に当接し、このリテーナ２０を介して端子収容部１１の前面に押し付けられる。この間、ムービングプレート１０の位置決め孔４２からタブ１８が少しずつ突出し、その突出したタブ１８と雌ハウジング３０側の雌端子金具とが導通可能に接続される。つまり、ムービングプレート１０は、雄端子金具１６のタブ１８を位置決めして雌雄の両端子金具を正規の接続位置に案内する役割を担っている。
【００２５】
また、ムービングプレート１０は、リテーナ２０と当接したときにリテーナ２０の前面における高さ方向の両端位置に設けられた段付面２０Ｂの内側に緊密に嵌まり込む。これにより、ムービングプレート１０の前面とリテーナ２０の前面とが面一で連なる。
【００２６】
ムービングプレート１０の挿通孔４３は、図１に示すように両こじり防止部２１と対応する位置に、こじり防止部２１の断面形状に沿った略凸の字状に開口して形成され、その内側にこじり防止部２１が嵌入可能となっている。一方、ムービングプレート１０の係止孔４１は、両係止片２２と対応する位置に、係止片２２を周方向に取り囲むような形状に開口して形成され、その内側に係止片２２を撓み変形可能に挿通させている。このうち上方に位置する係止片２２は挿通孔４３との間に隔壁を有しているが、下方に位置する係止片２２は挿通孔４３と連通して全体として略十の字状に開口している。
【００２７】
さて、ムービングプレート１０の前面には、図２に示すように、前側突部２８との隙間を詰めるべく肉盛りされた補強部４４が係止孔４１の孔縁に沿って一体に形成されている。補強部４４は、係止突部２７が係止孔４１の孔周りに係止したときに、前側突部２８の後面側のテーパ面２８Ｂに当接しつつ、ここを幅方向に横切って配される架橋部４４Ａとその架橋部４４Ａの両端に連結されて互いに平行に配される一対の脚部４４Ｂとからなり、全体として門型枠状に形成されている。そして、両脚部４４Ｂと架橋部４４Ａとはその内側空間に係止突部２７のリブ２９Ｃを通して前側突部２８の後面側のテーパ面上２８Ｂを跨ぐように配される。したがって、架橋部４４Ａは前側突部２８の上半部と対面して配されることとなり、両脚部４４Ｂは後側突部２９の両端部とムービングプレート１０を挟んで対峙する位置に配されることとなる。なお、補強部４４の前面の上縁部４４Ｃには、全周に亘って面取りが施されている。
【００２８】
次に、本実施形態の作用効果を説明する。まず、リテーナ２０の前方にムービングプレート１０を配し係止片２２によって支持させる。このとき、係止片２２は、前側突部２８の前面側のテーパ面２８Ａがムービングプレート１０の係止孔４１の孔縁を摺動することによって下方へ撓み変形されるが、前側突部２８が係止孔４１を抜けると復帰して前側突部２８と後側突部２９との間にムービングプレート１０を前後移動を規制した状態で挟み込む。
【００２９】
続いて、図５に示すように、前方からガイド部２３をガイド孔１９内に嵌め込みつつリテーナ２０をフード部１２内に進入させて仮係止位置で留め置く。その状態で、後方から端子収容部１１のキャビティ１３内に雄端子金具１６を挿入してランス１４によって一次係止させる。すると、雄端子金具１６のタブ１８がリテーナ２０のタブ挿通孔２４を貫通するとともにその先端がムービングプレート１０の位置決め孔４２の手前に配される。次いで、図６に示すように、リテーナ２０を本係止位置に押し込み、リテーナ２０の撓み規制部１７をランス１４の撓み空間１５内に進入させて雄端子金具１６を二次係止する。こうして雄端子金具１６はランス１４とリテーナ２０とによって二重の抜け止めがなされる。また、リテーナ２０が本係止位置に達すると、ムービングプレート１０の位置決め孔４２にタブ１８の先端が進入してタブ１８の位置決めがなされる。
【００３０】
次いで、雌ハウジング３０をフード部１２内に進入させる。雌ハウジング３０がフード部１２の中ほどまで進入すると、図７に示すように、雌ハウジング３０の解除部３２が前側突部２８と当接する。雌ハウジング３０がフード部１２内にさらに深く進入すると、係止片２２が下方へ撓み変形して係止突部２７によるロックが外される。さらに雌ハウジング３０が押し込まれると、ムービングプレート１０がこじり防止部２１によって案内されつつフード部１２の奥側へ向けて移動する。この間、ムービングプレート１０は、フード部１２の内側面と非接触とされる。こうして両コネクタが正規嵌合されると、図８に示すように、ムービングプレート１０がリテーナ２０とともに端子収容部１１の前面側に押し当てられ、雌雄の両端子金具が正規深さで接続される。
【００３１】
ところで、雌ハウジング３０をフード部１２内に進入させる前に、前方からムービングプレート１０に対して外力が作用すると、ムービングプレート１０が薄い板状をなすことに起因して反り変形を起こし係止突部２７によるロックが外れることが懸念されるが、本実施形態によれば、ムービングプレート１０における係止孔４１の孔周りに係止突部２７との隙間を詰める補強部４４が肉盛りされているから、不用意にロックが外れる事態を回避できる。また、ムービングプレート１０が、フード部１２の内側面１２Ａと非接触とされるから、移動の間、フード部１２の内側面１２Ａとの間に摩擦を生じさせることがなく、押し込み力を小さくできる。
【００３２】
さらに、係止片２２がその根元をリテーナ２０の前面に接続させた状態で突出して形成されているから、成形が容易となる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態においては、ムービングプレートがフード部の内側面と非接触とされていたが、本発明によれば、ムービングプレートがフード部の内側面と接触していてもよい。
（２）上記実施形態においては、係止突部が前側突部と後側突部とから構成されていたが、本発明によれば、係止突部が前側突部のみで構成されていてもよい。
（３）上記実施形態においては、後側突部の両端部とムービングプレートを挟んで対峙する位置に一対の脚部が配されていたが、本発明においては、架橋部が前側突部との隙間を詰めるように肉盛りされていればよく、一対の脚部はなくてもよい。
【図面の簡単な説明】
【００３４】
【図１】本発明の一実施形態の雄コネクタの正面図
【図２】係止突部によるロック状態を示す要部拡大斜視図
【図３】ムービングプレートの正面図
【図４】ムービングプレートの断面図
【図５】リテーナを仮係止させたときの断面図
【図６】リテーナを本係止させたときの断面図
【図７】両コネクタの嵌合を開始したときの断面図
【図８】両コネクタが正規嵌合に至ったときの断面図
【符号の説明】
【００３５】
Ｍ…雄コネクタ
１０…ムービングプレート
２０…リテーナ
２３…ガイド部
２８…前側突部
３０…雄ハウジング
４１…係止孔
４２…位置決め孔
４３…挿通孔
４４…補強部
【図１】
2006253074.tif 000003
【図２】
2006253074.tif 000004
【図３】
2006253074.tif 000005
【図４】
2006253074.tif 000006
【図５】
2006253074.tif 000007
【図６】
2006253074.tif 000008
【図７】
2006253074.tif 000009
【図８】
2006253074.tif 000010
【手続補正書】
【提出日】平成18年2月10日(2006.2.10)
【手続補正１】
【補正対象書類名】明細書
【補正対象項目名】００１３
【補正方法】変更
【補正の内容】
【００１３】
まず、雌コネクタＦについて説明する。雌コネクタＦは、複数の雌端子金具（図示せず）を収容可能な雌ハウジングを備えている。雌コネクタＦは、図６に示すように、合成樹脂材によって、高さ方向（雌端子金具の並び方向）に長く延出して形成され、その高さ方向の両端位置に、前面に開口する凹部３１が形成されている。両凹部３１は、両コネクタＦ，Ｍの嵌合時に雄コネクタＭ側のこじり防止部２１及び係止片２２（後述する）を受け入れ可能な深さをもって前後方向に延出している。このうち上方に配された凹部３１内には、その高さ方向ほぼ中央の前端位置に、ムービングプレート１０に対する係止片２２のロックを解除するための解除部３２が形成されている。そして、この凹部３１は、解除部３２を境とした上方にこじり防止部２１が進入可能な溝部３３Ａを有する一方、解除部３２を境とした下方に係止片２２が進入可能な溝部３３Ｂを有し、かつ、両溝部３３が解除部３２の後面後方で互いに連通している。
【手続補正２】
【補正対象書類名】明細書
【補正対象項目名】００１５
【補正方法】変更
【補正の内容】
【００１５】
続いて、雄コネクタＭについて説明する。雄コネクタＭは、合成樹脂製の端子収容部１１と同じく合成樹脂製のフード部１２とを備え、上記した雌コネクタＦと対応するように高さ方向に長く延出して形成されている。
【手続補正３】
【補正対象書類名】明細書
【補正対象項目名】００２０
【補正方法】変更
【補正の内容】
【００２０】
また、リテーナ本体２０Ａの前面において高さ方向の両端位置にはこじり防止部２１が前方へ向けて突出して形成されており、さらに、リテーナ本体２０Ａの前面において両こじり防止部２１よりも高さ方向の中央寄りの位置には両こじり防止部２１と隣接しつつ平行に突出する係止片２２が形成されている。こじり防止部２１の先端位置はタブ１８の先端位置や係止片２２の先端位置よりも前方に設定されている。したがって、こじり防止部２１が係止片２２を庇状に覆って保護することになるから、異物との干渉によって係止片２２が折損される事態を回避できる。かかるこじり防止部２１は、雌コネクタＦが正規姿勢をとっているときには雌コネクタＦ側の凹部３１内に進入して両コネクタＦ，Ｍを正規嵌合に導く一方、雌コネクタＦが正規でない姿勢をとっているときにはその嵌合動作を規制して雌コネクタＦとの衝突に伴うタブ１８のこじりを防止する役割を担っている。
【手続補正４】
【補正対象書類名】明細書
【補正対象項目名】００２２
【補正方法】変更
【補正の内容】
【００２２】
後側突部２９は、アーム部２６の上面においてアーム部２６の幅方向の全長に亘って横設され、その前面２９Ａが略鉛直に切り立って係止孔４１の孔縁４１Ａに対する係止面とされる一方、その後面２９Ｂが上面に向かって弧状をなす曲面とされる。また、前側突部２８は、アーム部２６の上面の幅方向ほぼ中央位置にてアーム部２６の延出方向に沿って立設され、その前端位置がアーム部２６の前端位置に揃えられている。そして、前側突部２８は、その前面が後方へ向かって昇り勾配となるテーパ面２８Ａとされる一方、その後面が後方へ向かって下り勾配となるテーパ面２８Ｂ（本発明の斜面部に相当）とされる。前側突部２８の後面側のテーパ面２８Ｂは、係止片２２が撓み変形する間に前側突部２８が弧を描くことに起因して形成されるものである。また、両コネクタＦ，Ｍの嵌合時には、前側突部２８が雌コネクタＦ側の解除部３２と干渉して係止片２２が下方へ撓み変形されることでムービングプレート１０に対するロックが解除されることになるが、このとき、前側突部２８の前面側のテーパ面２８Ａに解除部３２が乗り上げられることによって係止片２２の撓み動作が円滑となるようにしてある。また、前側突部２８と後側突部２９とは、ムービングプレート１０を係止したときに係止孔４１の孔内を貫通するリブ２９Ｃによって一体的につながっている。このリブ２９Ｃは、前側突部２８と同幅をもって形成され、その両側面が前側突部２８の両側面と面一で連なっている。
【手続補正５】
【補正対象書類名】明細書
【補正対象項目名】００２４
【補正方法】変更
【補正の内容】
【００２４】
また、ムービングプレート１０は、リテーナ２０が仮係止位置にあるときにはタブ１８の先端位置よりも前方に離間して配されているが、リテーナ２０が本係止位置に向かって移動するのに伴いこれに連立って移動し、リテーナ２０が本係止位置に至ったときには位置決め孔４２にタブ１８の先端を挿通させてその前面にタブ１８の先端を臨ませる。そして、ムービングプレート１０は、フード部１２内に雌コネクタＦが嵌合する過程で雌コネクタＦ側の解除部３２に係止突部２７が干渉して係止片２２が撓み変形されることによって係止片２２とのロックを解除させる。その後、ムービングプレート１０は、雌コネクタＦの前面に押し込まれつつ後退してリテーナ２０の前面に当接し、このリテーナ２０を介して端子収容部１１の前面に押し付けられる。この間、ムービングプレート１０の位置決め孔４２からタブ１８が少しずつ突出し、その突出したタブ１８と雌コネクタＦ側の雌端子金具とが導通可能に接続される。つまり、ムービングプレート１０は、雄端子金具１６のタブ１８を位置決めして雌雄の両端子金具を正規の接続位置に案内する役割を担っている。
【手続補正６】
【補正対象書類名】明細書
【補正対象項目名】００３０
【補正方法】変更
【補正の内容】
【００３０】
次いで、雌コネクタＦをフード部１２内に進入させる。雌コネクタＦがフード部１２の中ほどまで進入すると、図７に示すように、雌コネクタＦの解除部３２が前側突部２８と当接する。雌コネクタＦがフード部１２内にさらに深く進入すると、係止片２２が下方へ撓み変形して係止突部２７によるロックが外される。さらに雌コネクタＦが押し込まれると、ムービングプレート１０がこじり防止部２１によって案内されつつフード部１２の奥側へ向けて移動する。この間、ムービングプレート１０は、フード部１２の内側面と非接触とされる。こうして両コネクタＦ，Ｍが正規嵌合されると、図８に示すように、ムービングプレート１０がリテーナ２０とともに端子収容部１１の前面側に押し当てられ、雌雄の両端子金具が正規深さで接続される。
【手続補正７】
【補正対象書類名】明細書
【補正対象項目名】００３１
【補正方法】変更
【補正の内容】
【００３１】
ところで、雌コネクタＦをフード部１２内に進入させる前に、前方からムービングプレート１０に対して外力が作用すると、ムービングプレート１０が薄い板状をなすことに起因して反り変形を起こし係止突部２７によるロックが外れることが懸念されるが、本実施形態によれば、ムービングプレート１０における係止孔４１の孔周りに係止突部２７との隙間を詰める補強部４４が肉盛りされているから、不用意にロックが外れる事態を回避できる。また、ムービングプレート１０が、フード部１２の内側面１２Ａと非接触とされるから、移動の間、フード部１２の内側面１２Ａとの間に摩擦を生じさせることがなく、押し込み力を小さくできる。
【手続補正８】
【補正対象書類名】明細書
【補正対象項目名】００３５
【補正方法】変更
【補正の内容】
【００３５】
Ｍ…雄コネクタ
１０…ムービングプレート
２０…リテーナ
２３…ガイド部
２８…前側突部
４１…係止孔
４２…位置決め孔
４３…挿通孔
４４…補強部
【手続補正９】
【補正対象書類名】図面
【補正対象項目名】図１
【補正方法】変更
【補正の内容】
【図１】
2006253074.tif 000011
【手続補正１０】
【補正対象書類名】図面
【補正対象項目名】図５
【補正方法】変更
【補正の内容】
【図５】
2006253074.tif 000012
【手続補正１１】
【補正対象書類名】図面
【補正対象項目名】図６
【補正方法】変更
【補正の内容】
【図６】
2006253074.tif 000013
【手続補正１２】
【補正対象書類名】図面
【補正対象項目名】図７
【補正方法】変更
【補正の内容】
【図７】
2006253074.tif 000014
【手続補正１３】
【補正対象書類名】図面
【補正対象項目名】図８
【補正方法】変更
【補正の内容】
【図８】
2006253074.tif 000015